(57)【要約】【課題】係合アームの基端部の受け部に係合するスチールボールを弾発付勢するバネのバネ力を強くした場合であっても耐久性に優れるドアガードの提供。【解決手段】ドアガード１の係合アーム１０の両側の基端部１０ａ、１０ａには複数の受け部１２ｄ、１２ｄが形成されている。アーム取付基台２０に形成されたバネ挿入穴２０ｃにはバネ１４が配設されており、バネ１４により弾発付勢された押圧部材１５が受け部１２ｄと係脱する。係合アーム１０の両側の基端部１０ａ、１０ａには耐摩耗性に優れた材料からなる軸受部材１２、１２が夫々取り付けられており、この軸受部材１２、１２が二つの回転軸１３、１３に枢着されている。【選択図】図１
2007092382.tif 000002
【特許請求の範囲】
【請求項１】
Ｕ字状の係合アームの両側の基端部が扉または扉竪枠のいずれか一方に固定されるアーム取付基台の二つの軸受ブラケット部間へ挟入され両側の基端部が二つの回転軸により枢着され、扉を全閉した状態で該係合アームの基端部間のスリット入口部内に、扉または扉竪枠のいずれか他方に固定されるフックの頭部が入り込んだ状態に位置させて扉を開けると、フックの頭部よりも断面積が小さい連結部が該係合アームのＵ字状のスリットに挟入していきスリット奥行き端に当接して扉の開き角度を小さく制限するドアガードであり、該係合アームの両側の基端部には複数の受け部が形成され、該アーム取付基台に形成されたバネ挿入穴にはバネが配設され、該バネにより弾発付勢された押圧部材が該受け部と係脱するドアガードにおいて、該バネ挿入穴の内壁と該バネの間に耐摩耗性に優れた材料からなるガイド部材を配設したことを特徴とするドアガード。
【請求項２】
Ｕ字状の係合アームの両側の基端部が扉または扉竪枠のいずれか一方に固定されるアーム取付基台の二つの軸受ブラケット部間へ挟入され両側の基端部が二つの回転軸により枢着され、扉を全閉した状態で該係合アームの基端部間のスリット入口部内に、扉または扉竪枠のいずれか他方に固定されるフックの頭部が入り込んだ状態に位置させて扉を開けると、フックの頭部よりも断面積が小さい連結部が該係合アームのＵ字状のスリットに挟入していきスリット奥行き端に当接して扉の開き角度を小さく制限するドアガードであり、該係合アームの両側の基端部には複数の受け部が形成され、該アーム取付基台に形成されたバネ挿入穴にはバネが配設され、該バネにより弾発付勢された押圧部材が該受け部と係脱するドアガードにおいて、該係合アームの両側の基端部には耐摩耗性に優れた材料からなる軸受部材が夫々取り付けられ、該軸受部材が該二つの回転軸に枢着されることを特徴とするドアガード。
【請求項３】
該軸受部材に該複数の受け部が形成されることを特徴とする請求項２記載のドアガード。
【請求項４】
耐摩耗性に優れた材料が焼結合金又は樹脂であることを特徴とする請求項１又は２記載のドアガード。
【発明の詳細な説明】
【技術分野】
【０００１】
本発明は、外来者の確認等の目的からドアチェーン等に替わり設けられ玄関や勝手口等の扉の開き角度を小さく制限するドアガードに関する。
【背景技術】
【０００２】
ドアガードは、Ｕ字状の係合アームの両側の基端部が扉または扉竪枠のいずれか一方に固定されるアーム取付基台の二つの軸受ブラケット部間へ挟入され両側の基端部が二つの回転軸により枢着され、扉を全閉した状態で係合アームの基端部間のスリット入口部内に、扉または扉竪枠のいずれか他方に固定されるフックの頭部が入り込んだ状態に位置させて扉を開けると、フックの頭部よりも断面積が小さい連結部が係合アームのＵ字状のスリットに挟入していきスリット奥行き端に当接して扉の開き角度を小さく制限するものである。
【０００３】
そして、ドアガードのＵ字状の係合アームの基端部の外周に複数の受け部を設け、この受け部と係脱自在にバネで弾発付勢せしめたスチールボールをアーム取付基台に設けることにより、係合アームに節度的位置決め機能を持たせると共に回転抵抗力を与えるドアガードも知られている（例えば、特許文献１参照）。
【０００４】
【特許文献１】実公平４−３５４９０号公報
【発明の開示】
【発明が解決しようとする課題】
【０００５】
しかし、従来のこの種のドアガードの係合アームは亜鉛合金製であり、係合アームの基端部の受け部とスチールボールの係合力を大きくする目的でスチールボールを弾発付勢するバネのバネ力を強くすると、係合アームの受け部が変形したり、摩耗が早まったりするという問題が生じていた。また、係合アームの基端部には、アーム取付基台に係合アームを回動自在に枢着するピンが挿入されるピン孔が設けられるが、前述のようにバネ力を強くした場合には、ピンのピン孔に対する押圧力が高くなってしまうので、ピン孔が変形したり、摩耗が早まったりするという問題が生じていた。さらに、スチールボールを弾発付勢するバネは、アーム取付基台のバネ挿入穴に収容されており、スチールボールはこのバネ挿入穴の開口部に当接することになるが、前述のようにバネ力を強くした場合には、バネ挿入穴の開口部の形状が変形したり、摩耗が早まったりするという問題が生じていた。
【０００６】
そこで、本発明は、係合アームの基端部の受け部に係合するスチールボールを弾発付勢するバネのバネ力を強くした場合であっても耐久性に優れるドアガードを提供することを目的とする。
【課題を解決するための手段】
【０００７】
上記目的を達成するために、本発明は、Ｕ字状の係合アーム１０の両側の基端部１０ａ、１０ａが扉Ｄまたは扉竪枠Ｗのいずれか一方に固定されるアーム取付基台２０の二つの軸受ブラケット部２０ｂ、２０ｂ間へ挟入され両側の基端部１０ａ、１０ａが二つの回転軸１３、１３により枢着され、扉Ｄを全閉した状態で該係合アーム１０の基端部１０ａ、１０ａ間のスリット入口部１１ａ内に、扉Ｄまたは扉竪枠Ｗのいずれか他方に固定されるフック３０の頭部３０ａが入り込んだ状態に位置させて扉Ｄを開けると、フック３０の頭部３０ａよりも断面積が小さい連結部３０ｂが該係合アーム１０のＵ字状のスリット１１に挟入していきスリット奥行き端１１ｂに当接して扉Ｄの開き角度を小さく制限するドアガード１であり、該係合アーム１０の両側の基端部１０ａ、１０ａには複数の受け部が形成され、該アーム取付基台２０に形成されたバネ挿入穴２０ｃにはバネ１４が配設され、該バネ１４により弾発付勢された押圧部材１５が該受け部と係脱するドアガード１において、該バネ挿入穴２０ｃの内壁と該バネ１４の間に耐摩耗性に優れた材料からなるガイド部材１６を配設したドアガード１を提供している。
【０００８】
また、本発明は、Ｕ字状の係合アーム１０の両側の基端部１０ａ、１０ａが扉Ｄまたは扉竪枠Ｗのいずれか一方に固定されるアーム取付基台２０の二つの軸受ブラケット部２０ｂ、２０ｂ間へ挟入され両側の基端部１０ａ、１０ａが二つの回転軸１３、１３により枢着され、扉Ｄを全閉した状態で該係合アーム１０の基端部１０ａ、１０ａ間のスリット入口部１１ａ内に、扉Ｄまたは扉竪枠Ｗのいずれか他方に固定されるフック３０の頭部３０ａが入り込んだ状態に位置させて扉Ｄを開けると、フック３０の頭部３０ａよりも断面積が小さい連結部３０ｂが該係合アーム１０のＵ字状のスリット１１に挟入していきスリット奥行き端１１ｂに当接して扉Ｄの開き角度を小さく制限するドアガード１であり、該係合アーム１０の両側の基端部１０ａ、１０ａには複数の受け部が形成され、該アーム取付基台２０に形成されたバネ挿入穴２０ｃにはバネ１４が配設され、該バネ１４により弾発付勢された押圧部材１５が該受け部と係脱するドアガード１において、該係合アーム１０の両側の基端部１０ａ、１０ａには耐摩耗性に優れた材料からなる軸受部材１２、１２が夫々取り付けられ、該軸受部材１２、１２が該二つの回転軸１３、１３に枢着されるドアガード１を提供している。
【０００９】
また、軸受部材に該複数の受け部が形成されるドアガード１を提供している。
【００１０】
また、耐摩耗性に優れた材料が焼結合金製又は樹脂製であるドアガード１を提供している。
【発明の効果】
【００１１】
請求項１又は請求項４記載のドアガードによれば、バネ挿入穴の内壁とバネの間に耐摩耗性に優れた材料からなるガイド部材を配設したので、係合アームの基端部の受け部と押圧部材の係合の保持力を大きくする目的で押圧部材を弾発付勢するバネのバネ力を強くした場合であっても、バネ挿入穴の開口部の形状が変形したり、摩耗することを防止することができる。よって、ドアガードの耐久性を向上させることができる。
【００１２】
請求項２又は請求項４記載のドアガードによれば、係合アームの両側の基端部には耐摩耗性に優れた材料からなる軸受部材が取り付けられ、この軸受部材が二つの回転軸に枢着されることから、係合アームの基端部の受け部と押圧部材の係合の保持力を大きくする目的で押圧部材を弾発付勢するバネのバネ力を強くした場合であっても、係合アームのピン孔が変形したり、摩耗が早まったりするということを防止することができる。よって、ドアガードの耐久性を向上させることができる。
【００１３】
請求項３記載のドアガードによれば、耐摩耗性に優れた材料からなる軸受部材に複数の受け部を形成したので、受け部と押圧部材の係合の保持力を大きくする目的で押圧部材を弾発付勢するバネのバネ力を強くした場合であっても、受け部が変形したり、摩耗が早まったりするということを防止することができる。よって、ドアガードの耐久性を向上させることができる。
【発明を実施するための最良の形態】
【００１４】
本発明の実施の形態によるドアガードについて、図１乃至図６を用いて説明する。このドアガード１は、Ｕ字状の係合アーム１０を枢支するアーム取付基台２０が扉Ｄに複数のネジ５０により固定され、係合アーム１０のＵ字状のスリット１１と係脱するフック３０のベース部３０ｃが係合アーム１０に対応して扉竪枠Ｗにネジ５１、５１により固定され、図２のように扉Ｄを全閉にした状態で係合アーム１０をフック３０に被さるように旋回すると、図３のように係合アーム１０の基端部１０ａ、１０ａ間のスリット入口部１１ａ内にフック３０の頭部３０ａが入り込んだ状態に位置するようになり、この状態で扉Ｄを開けると、フック３０の頭部３０ａよりも断面形状が小さい連結部３０ｂが係合アーム１０のＵ字状のスリット１１に挟入していきスリット奥行き端１１ｂに当接停止して扉Ｄの開き角度を小さく制限する。
【００１５】
係合アーム１０はＵ字状に形成されており、スリット１１の入口である基端部１０ａ、１０ａの離間寸法がフック３０の頭部３０ａよりも若干大きく確保されスリット入口部１１ａとされていて、このスリット入口部１１ａの奥側のスリット幅がフック３０の頭部３０ａよりも小さくかつフック３０の連結部３０ｂよりも大きくなっている。
【００１６】
係合アーム１０の基端部１０ａ、１０ａには、耐摩耗性に優れた材料により成形された軸受部材１２、１２が取付けられている。尚、耐摩耗性に優れた材料としては焼結合金や樹脂等を用いることができる。図５に示すように、軸受部材１２は、係合アーム１０の基端部１０ａの孔１０ｂに嵌合するスリーブ部１２ａと、スリーブ部１２ａが孔１０ｂに嵌合されることにより基端部１０ａの側面と面一となるベース部１２ｂと、係合アーム１０の基端部１０ａの外周を覆うカバー部１２ｃを備えている。カバー部１２には後述するスチールボール１５が係脱する受け部１２ｄ、１２ｄが形成されている。
【００１７】
図４に示すように、アーム取付基台２０は、フランジ部２０ａより二つの軸受ブラケット部２０ｂ、２０ｂが隆起した一体形状である。二つの軸受ブラケット部２０ｂ、２０ｂのピン孔２０ｅ、２０ｅには回転軸１３、１３が圧入され、回転不能に固定されている。二つの軸受ブラケット部２０ｂ、２０ｂ間には係合アーム１０の基端部１０ａ、１０ａが挟入され、回転軸１３、１３は係合アーム１０に取付けられた軸受部材１２のスリーブ部１２ａ、１２ａを貫通し、Ｅリング７０、７０で抜け止めがなされている。このように、係合アーム１０の基端部１０ａ、１０ａに取付けられた軸受部材１２、１２が二つの回転軸１３、１３に枢着されることにより、係合アーム１０は回動自在となっている。
【００１８】
図４に示すように、アーム取付基台２０の軸受部材１２、１２に対応する位置にはバネ挿入穴２０ｃ、２０ｃが形成されている。バネ挿入穴２０ｃには、耐摩耗性に優れた材料により成形されたスリーブ１６が配設されている。尚、耐摩耗性に優れた材料としては焼結合金や樹脂等を用いることができる。スリーブ１６内にはバネ１４が挿入されており、軸受部材１２の受け部１２ｄに係脱するスチールボール１５を強めのバネ力で弾発付勢している。スリーブ１６がバネ挿入穴２０ｃの内壁とバネ１４の間に配設されているので、スチールボール１５はバネ挿入穴２０ｃの開口部には当接せず、耐摩耗性に優れたスリーブ１６に当接する。尚、スチールボール１５は押圧部材に相当し、スリーブ１６はガイド部材に相当する。
【００１９】
本実施の形態のドアガード１の作用について説明する。図２の扉Ｄを全閉した状態から係合アーム１０を回転軸１３、１３を支点として回動させると、バネ１４により弾発付勢されたスチールボール１５と受け部１２ｄの係合が解除される。そして、スチールボール１５が別の受け部１２ｄと係合するまで係合アーム１０を回動させると、図３に示すように、係合アーム１０の基端部１０ａ、１０ａ間のスリット入口部１１ａ内にフック３０の頭部３０ａが入り込んだ状態となる。この状態で扉Ｄを開けると、フック３０の頭部よりも断面積が小さい連結部３０ｂが係合アーム１０のスリット１１に挟入していきスリット奥行き端１１ｂに当接して扉の開き角度が制限される。
【００２０】
本発明によるドアガードは上述した実施の形態に限定されず、特許請求の範囲に記載した範囲内で種々の変形や改良が可能である。例えば、本実施の形態では、アーム取付基台２０が扉Ｄに固定され、フック３０が扉竪枠Ｗに固定されたが、アーム取付基台２０が扉竪枠Ｗに固定され、フック３０が扉Ｄに固定されてもよい。
【００２１】
また、本実施の形態においてはガイド部材としてスリーブ１６を用い、バネ挿入穴２０ｃの内壁の全周をスリーブ１６で覆うようにしたが、バネ挿入穴２０ｃの摩耗を防ぎたい部分にのみガイド部材を設けてもよい。例えば、図６に示すように、コの字形状のガイド部材１６を耐摩耗性に優れた材料により成形し、バネ挿入穴２０ｃの摩耗を防ぎたい部分にはガイド部材収容部２０ｄ、２０ｄを設け、このガイド部材収容部２０ｄ、２０ｄにコの字形状のガイド部材１６を挿入するようにしてもよい。
【００２２】
また、本実施の形態においては、軸受部材１２にスチールボール１５と係合する受け部１２ｄ、１２ｄを形成したが、耐摩耗性に優れた材料により成形した別部材に受け部１２ｄ、１２ｄを形成し、この別部材を係合アーム１０の基端部１０ａ、１０ａに夫々取付けるようにしてもよい。
【００２３】
また、軸受部材１２、回転軸１３、ガイド部材１６に各々熱処理を施すことにより更にドアガードの耐久性を向上させることも可能である。
【図面の簡単な説明】
【００２４】
【図１】本発明の実施の形態によるドアガードの正面図。
【図２】図１のＡ−Ａ断面図。
【図３】係合アームを回動させた状態の図１のＡ−Ａ断面図。
【図４】図１のＢ−Ｂ断面図
【図５】本発明の実施の形態の軸受部材の斜視図。
【図６】本発明の実施の形態のガイド部材の変形例を示す図。
【符号の説明】
【００２５】
１      ドアガード
１０    係合アーム
１１    スリット
１２    軸受部材
１２ｄ  受け部
１３    回転軸
１４    バネ
１５    スチールボール（押圧部材）
１６    スリーブ（ガイド部材）
２０    アーム取付基台
２０ｃ  バネ挿入穴
３０    フック
Ｄ      扉
Ｗ      扉竪枠
【図１】
2007092382.tif 000003
【図２】
2007092382.tif 000004
【図３】
2007092382.tif 000005
【図４】
2007092382.tif 000006
【図５】
2007092382.tif 000007
【図６】
2007092382.tif 000008